Podtech/llm-jp-corpus-v4-ja_patent huggingface dataset:
(57)【要約】課題：単体の防風・防寒具にて頭部などの広い範囲を多い、かつ、装着時のねじれや隙間を減らす。解決手段：帯の形状にひねり（360度の倍数）を加えることにより、装着した際に覆える箇所がふえる、また装着した際にねじれが発生しないため、体に隙間なく密着した状態にすることができ、密着性、保温性が高まる。選択図：図１
2017183212.tif 000002
【特許請求の範囲】
【請求項１】
帯の形状にひねり（360度の倍数）を加えることにより、単体で覆える箇所を増やし、また装着した際のねじれ、隙間をなくし、密着性、保温性を高めた防風・防寒具。
【発明の詳細な説明】
【技術分野】
【０００１】
本発明は、密着性、保温性に優れた防風・防寒具に関するものである。
【背景技術】
【０００２】
帯状の防寒具は、手軽に装着でき、ある程度の密着性、保温性を有する利点があるので、主に首以上の部位を対象とした防風・防寒を目的として、ネックウォーマー、イヤーウォーマー、ヘッドウォーマー、バンダナ等の名称で実用に共されている。【０００３】
しかし、頭部の複数の部位を同時に覆うことは出来ない構造のため、高い防寒効果を得るためには、帽子、耳あて、マフラーなど、別の防寒具を併用する必要があった。【０００４】
日常的に使われる防寒具としての用途において、毎回複数の用具を着脱する手間は大きなストレスである。
また、複数の用具を同時に用いる場合、どうしてもそれら用具同士の間に隙間が発生し、そのため肌の露出部分が生まれ、これが防風・防寒を主目的とした場合の致命的なストレスとなる。
【発明の概要】
【発明が解決しようとする課題】
【０００５】
解決しようとする問題点は、頭部の防風・防寒において複数の用具を必要とするために発生する手間と、複数の用具を同時に装着することによって発生する隙間が生む密着性、防寒性の低下である。
【課題を解決するための手段】
【０００６】
本発明は、ひねりを加えた帯状の構造により、単体で頭部の複数の部分を覆うことができ、また、用途に応じてひねりの数と帯の長さを増すことにより、ねじれを発生せずに覆う箇所を増やせることを特徴とする。
【発明の効果】
【０００７】
本発明は、単体で体の多くの場所を覆うことができる構造のため、複数の用具を必要としなくなるという利便性と、肌の露出が軽減されることによる高い密着性、防寒性を有するという利点がある。
【図面の簡単な説明】
【０００８】
【図１】図1は本発明単体と、本発明を装着した状態を示す図である。
【図２】図2は本発明の形状とその装着例を示した図である。（ひねりを1回（360度）加えた例）
【図３】図3は本発明の形状とその装着例を示した図である。（ひねりを2回（720度）加えた例）
【図４】図4は先行技術と本発明の効果の差を示す図である。
【発明を実施するための形態】
【０００９】
本発明は、先行技術として流通している帯状の防寒具と同等の素材、作成方法を使い、長さの調整とひねり構造を加える事で実現できる。
【００１０】
図1、及び図2は、先行技術と本発明の形状の違いを示したものである。
先行技術として存在しているひねり構造のない帯状（１）の一部を切断し、複数回転（360度の倍数）ひねった状態で再度結合すると、本発明の形状（２、３）となる。
この状態で人体に装着（4）すると、ねじれが発生しないため、隙間無く帯の同一面が肌に密着する。
【００１１】
図3は、先行技術で覆える箇所（１、２）と、本発明で覆える箇所（３、４）を比較して示したものである。
先行技術に比べ、本発明では単体の用具でも覆える場所が増える。
【図１】
2017183212.tif 000003
【図２】
2017183212.tif 000004
【図３】
2017183212.tif 000005
【図４】
2017183212.tif 000006
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
同一の幅を備える帯状の部材が複数回ひねり（360 度の倍数）を加えた状態で端部同士が結合されることで、人体に巻き付け可能な複数の環が形成されていることを特徴とする防風・防寒具。
【請求項２】
隙間無く同一面が肌に密着するように前記複数の環を頭部に巻き付けられるよう長さが調整されている請求項１に記載の防風・防寒具。
【国際調査報告】
2017183212.tif 000007
2017183212.tif 000008
2017183212.tif 000009
2017183212.tif 000010